(57)【特許請求の範囲】
【請求項１】
測定者の体重を測定する体重測定手段と、
測定者の生体インピーダンスを測定する生体インピーダンス測定手段と、
測定者のユーザ登録をするユーザ登録手段と、
前記登録したユーザに対して登録された登録体重ｗと登録生体インピーダンスをユーザ情報として取得するユーザ情報取得手段と、
前記登録体重ｗに対する前記測定した体重の増減量が、前記登録体重ｗに許容値係数αを乗じた体重についての許容値以下であり、前記登録生体インピーダンスに対する前記測定した生体インピーダンスの増減量が、生体インピーダンスについての許容値以下であるユーザを認識候補として特定する認識候補特定手段と、
前記特定した認識候補がいる場合に当該認識候補のうちの１を測定者と認識し、認識候補がいない場合にゲストを測定者として認識する認識手段と、を備え、
前記認識候補特定手段は、前記体重についての許容値として、前記登録ユーザの体重が重いほど大きな値を使用し、
前記ユーザ登録手段は、ユーザ情報としてユーザの性別を登録し、
前記許容値係数αは、前記登録したユーザの性別が女性である場合よりも男性である場合のほうが大きな値である、
ことを特徴とする生体情報測定装置。
【請求項２】
前記ユーザ登録手段は、ユーザ情報としてユーザの年齢を登録し、
前記許容値係数αは、前記ユーザの年齢が低いほど大きな値である、
ことを特徴とする請求項１に記載の生体情報測定装置。
【請求項３】
前記認識候補特定手段は、ユーザの前記登録体重ｗに許容値係数αを乗じた値が閾値以下である場合に、当該ユーザに対する体重の許容値を前記閾値に補正する、
ことを特徴とする請求項１又は請求項２に記載の生体情報測定装置。
【請求項４】
今回の測定において認識されたユーザに対する登録体重ｗと登録生体インピーダンスを、今回の測定した体重と生体インピーダンスで更新するユーザ情報更新手段と、
を具備したことを特徴とする請求項１から請求項３のうちのいずれか１の請求項に記載の生体情報測定装置。
【発明の詳細な説明】
【技術分野】
【０００１】
本発明は、体重や体組成等の生体情報を測定する生体情報測定装置に係り、詳細には、測定者を識別する技術に関する。
【背景技術】
【０００２】
自己の健康や体調の管理等を目的として体重を測定することが従来から行われている。近年では体重に加えて生体インピーダンスを測定し、その値から体脂肪率や基礎代謝等の各種体組成も算出する生体情報測定装置が存在している。このような生体情報測定装置では、各種体組成を算出するために測定者の身長や性別等の基礎情報が必要になることから、例えば家庭内における複数人が測定するような場合を想定し、各ユーザ毎に基礎情報を予め登録できるようになっている。
ユーザ登録が可能な生体情報測定装置の場合、予め登録された各ユーザの中から測定者を認識する必要がある。
特許文献１では、許容範囲を設定することで、生体情報測定値のある程度のバラツキを許容しながら測定者を識別する技術について記載されている。
【０００３】
生体情報測定装置では、登録済みユーザの体重及び生体インピーダンスと、今回の測定値とを比較することで、今回の測定者が登録済みユーザなのか、又は、未登録のゲストなのかを識別している。
そして、特許文献１記載技術では、測定者を識別するためのばらつきの許容値は一定値に規定されている。
しかし体重の変化幅はユーザの性状によって異なるのが現状であるため、許容値が一定に規定されていると、例えば、体重が軽い人にとっては許容値が広すぎ、逆に、体重の重い人にとっては許容値が狭すぎていた。このため、測定者を正確に識別できず、他のユーザやゲストと判定してしまう可能性があった。
【先行技術文献】
【特許文献】
【０００４】
【特許文献１】特開平１１−０７６１７７号公報
【発明の概要】
【発明が解決しようとする課題】
【０００５】
本発明は、測定者をより適確に認識することを目的とする。
【課題を解決するための手段】
【０００６】
（１）請求項１に記載の発明では、測定者の体重を測定する体重測定手段と、測定者の生体インピーダンスを測定する生体インピーダンス測定手段と、測定者のユーザ登録をするユーザ登録手段と、前記登録したユーザに対して登録された登録体重ｗと登録生体インピーダンスをユーザ情報として取得するユーザ情報取得手段と、前記登録体重ｗに対する前記測定した体重の増減量が、前記登録体重ｗに許容値係数αを乗じた体重についての許容値以下であり、前記登録生体インピーダンスに対する前記測定した生体インピーダンスの増減量が、生体インピーダンスについての許容値以下であるユーザを認識候補として特定する認識候補特定手段と、前記特定した認識候補がいる場合に当該認識候補のうちの１を測定者と認識し、認識候補がいない場合にゲストを測定者として認識する認識手段と、を備え、前記認識候補特定手段は、前記体重についての許容値として、前記登録ユーザの体重が重いほど大きな値を使用し、前記ユーザ登録手段は、ユーザ情報としてユーザの性別を登録し、前記許容値係数αは、前記登録したユーザの性別が女性である場合よりも男性である場合のほうが大きな値である、ことを特徴とする生体情報測定装置を提供する。
（２）請求項２に記載の発明では、前記ユーザ登録手段は、ユーザ情報としてユーザの年齢を登録し、前記許容値係数αは、前記ユーザの年齢が低いほど大きな値である、ことを特徴とする請求項１に記載の生体情報測定装置を提供する。
（３）請求項３に記載の発明では、前記認識候補特定手段は、ユーザの前記登録体重ｗに許容値係数αを乗じた値が閾値以下である場合に、当該ユーザに対する体重の許容値を前記閾値に補正する、ことを特徴とする請求項１又は請求項２に記載の生体情報測定装置を提供する。
（４）請求項４に記載の発明では、今回の測定において認識されたユーザに対する登録体重ｗと登録生体インピーダンスを、今回の測定した体重と生体インピーダンスで更新するユーザ情報更新手段と、を具備したことを特徴とする請求項１から請求項３のうちのいずれか１の請求項に記載の生体情報測定装置を提供する。
【発明の効果】
【０００７】
本発明によれば、ユーザの性状に応じて許容範囲を決定しているので、より適切に測定者を認識することができる。
【図面の簡単な説明】
【０００８】
【図１】生体情報測定装置の外観構成図である。
【図２】生体情報測定装置の機能ブロック図である。
【図３】ユーザ情報記憶部、測定結果履歴データの記憶データの内容を概念的に表した説明図である。
【図４】表示部の表示画面の詳細を表した説明図である。
【図５】測定処理動作の全体を表したフローチャートである。
【図６】測定者識別処理の詳細について表したフローチャートである。
【図７】一定値の許容係数αの場合の各登録ユーザにおける体重の許容値と許容範囲を表した説明図である。
【図８】年齢別に規定した許容値係数αと、各登録ユーザにおける体重の許容値と許容範囲を表した説明図である。
【図９】性別に応じて規定した許容値係数αと、各登録ユーザにおける体重の許容値と許容範囲を表した説明図である。
【図１０】年齢と性別に応じて規定した許容値係数αと、各登録ユーザにおける体重の許容値と許容範囲を表した説明図である。
【図１１】許容値係数αから求まる許容値に下限を設けた場合の、各登録ユーザにおける体重の許容値と許容範囲を表した説明図である。
【発明を実施するための形態】
【０００９】
以下、本発明の生体情報測定装置における好適な実施の形態について、図１から図１１を参照して詳細に説明する。
（１）実施形態の概要
本実施形態の生体情報測定装置では、登録ユーザのユーザ情報としての体重、生体インピーダンス（Ｂｉｏｅｌｅｃｔｒｉｃａｌ  Ｉｍｐｅｄａｎｃｅ）に対し、今回測定した体重、生体インピーダンス（ＢＩ）の増減量（差分）が、それぞれの許容値以下（許容範囲内）であるか否かにより、測定者が登録ユーザかゲストかについての測定者判定を行う。
【００１０】
本実施形態では、体重に関する許容範囲を一律にするのではなく、各ユーザについて登録された体重に応じた異なる許容範囲を使用する。すなわち、各ユーザの登録体重ｗに許容値係数α（＜１）を乗じたｗαを体重の許容値として体重の許容範囲ｗ（１−α）〜ｗ（１＋α）を求める。
登録体重に乗ずる許容値係数αは一定値（例えば、３％）である場合、ユーザ性状に応じた異なる値を使用する場合のいずれも可能である。ユーザ性状としては、ユーザの年齢（生年月日）と性別があり、そのいずれか一方、又は、双方に応じて規定された許容値係数αを使用する。
このように、ユーザ毎の体重の違いを考慮した許容値、許容範囲を使って測定者を識別することで、体重が軽い人が他の登録者と認識されることなく、かつ、体重が重い人が許容値を外れゲストと判定されることがなくなり、測定者を正確に認識することができる。
【００１１】
なお、各ユーザの登録体重ｗと許容値係数αに応じて決定した体重の許容範囲に下限を設けることも可能である。すなわち、体重の許容範囲の低い側の体重ｗ（１−α）に閾値Ｔを設け、ｗ（１−α）＜Ｔである場合には、許容範囲をＴ〜ｗ（１＋α）とする。
【００１２】
（２）実施形態の詳細
図１は本実施形態が適用される生体情報測定装置の外観構成を表したもので、（ａ）は平面図、（ｂ）は正面図、（ｃ）は背面図である。
図１（ａ）に示されるように、本実施形態の生体情報測定装置１は装置本体１０を備えており、装置本体１０の上面には、表示部１１、足の配置に合わせた左右上下の４カ所に測定用電極１２、操作部１３が配置されている。
装置本体１０の裏側には、図１（ａ）で点線で示され、図１（ｂ）、（ｃ）に示されるように、４隅に重量センサ１５Ｌｆ、１５Ｌｂ、１５Ｒｆ、１５Ｒｂが配設され、更に、装置本体１０の前側の両隅にはプッシュスイッチ１６Ｌ、１６Ｒが配置されている。
また、図１（ｂ）に示すように、装置本体１０の後方側面に電源スイッチ１４が配設されている。
【００１３】
装置本体１０は、被測定者が乗る面が平らな筐体である。
装置本体１０の内部には、図示しない電子回路、電源、電源保持部などが設けられている。
【００１４】
表示部１１は、液晶ディスプレイで構成されている。
本実施形態の表示部１１は、セグメント方式が採用されているが、ドットマトリクス方式の液晶ディスプレイを採用することも可能である。
表示部１１は、ユーザ登録の際に入力される入力情報や、体重や体脂肪率等の測定結果等が表示されるようになっている。
表示部１１の各表示項目と表示領域については後述する。
【００１５】
測定用電極１２Ｌｆ、１２Ｌｂ、１２Ｒｆ、１２Ｒｂは、装置本体１０に乗った被測定者の生体インピーダンスを測定するためのものであり、前後左右の合計４つが配設されている。
測定用電極１２Ｌｆ、１２Ｌｂ、１２Ｒｆ、１２Ｒｂにより、各電極間の抵抗値が測定されることで、測定者の生体インピーダンスが算出されるようになっている。
実際には、１の電極から高周波の微弱定電流が印加され、他の１の電極で電圧降下分が測定され、この電圧降下分から両電極間の抵抗値が測定される。
【００１６】
測定用電極１２Ｌｆ、１２Ｌｂ、１２Ｒｆ、１２Ｒｂは、その配置箇所により、左右に対するＬ、Ｒ、及び、前後に対するｆ、ｂの添え字により区別して表示している。
測定に際して測定者は、左右の両足について、土踏まずを挟んだつま先側と踵側のそれぞれの箇所を、各測定用電極１２Ｌｆ、１２Ｌｂ、１２Ｒｆ、１２Ｒｂ上に乗せる。
なお、以下の説明では、測定用電極を指定する場合の符号として、前後は問わず左右のいずれかを指定する場合には１２Ｌ、１２Ｒと表記し、左右は問わず前後のいずれかを指定する場合には１２ｆ、１２ｂと表記し、前後左右のいずれも問わずに測定用電極のいずれか１つ又は全体を指定する場合には１２と表記することとする。
この添字の表記については、重量センサ１５Ｌｆ、１５Ｌｂ、１５Ｒｆ、１５Ｒｂ、プッシュスイッチ１６Ｌ、Ｒについても同様である。
【００１７】
操作部１３は、上キー１３ａ、下キー１３ｂ、クリアキー１３ｃ、設定キー１３ｄを備えている。
上下キー１３ａ、１３ｂは、設定項目が無い表示画面において他の画面に遷移させ、設定項目がある表示画面において設定項目の内容（数値、項目）を変化させるためのキーである。
クリアキー１３ｃは、表示中の各項目、値をクリアして１つ前の画面に戻るためのキーである。
設定キー１３ｄは、設定項目がある表示画面において設定された項目を確定させ、次の設定項目、次の表示画面に遷移させるためのキーである。
この操作部１３の各キー操作により、各ユーザ（測定者）毎の基礎情報（身長、性別、生年月日）の入力、ユーザの選択、各種モードの選択等の各種選択が行われる。
【００１８】
生体情報測定装置１は、測定完了後、操作部１３の無操作状態が所定時間（例えば１分）経過すると省電力状態に移行し、表示部１１の液晶ディスプレイがオフ状態となるように構成されている。この省電力状態において、操作部１３のいずれかのキーが押下されると、省電力状態が解除されキャリブレーションが開始されるように構成されている。
【００１９】
電源スイッチ１４は、電源から表示部１１や後述する制御部等の各部に対するすべての電源供給を切断するスイッチである。
【００２０】
重量センサ１５Ｌｆ、１５Ｌｂ、１５Ｒｆ、１５Ｒｂは、生体情報測定装置１に乗った測定者の体重を測定するためのセンサであり、本実施形態では４つのロードセルにより構成されている。
各重量センサ１５からは、測定者の重量値に対応する物理量がそれぞれ出力され、各出力値に基づいて測定者の体重が算出されるようになっている。
重量センサ１５の各検出値から算出された測定者の体重は、当該測定者に対して登録された基礎情報と共に、体組成であるＢＭＩ（Ｂｏｄｙ  Ｍａｓｓ  Ｉｎｄｅｘ）と基礎代謝の算出に使用される。また、測定者の体重は、測定用電極１２の検出値から算出された生体インピーダンス、及び基礎情報と共に、体組成である体脂肪率、内蔵脂肪レベル（率）、身体年齢、骨レベル、骨格筋レベル、水分量が算出される。
【００２１】
各重量センサ１５は、測定の際に加わる荷重を１０ｇ単位で測定する。
なお、本実施形態では、後述する測定結果履歴への保存、及び体脂肪率等の生体情報の算出には、１０ｇ単位で算出された体重が使用され、表示部１１には四捨五入された１００ｇ単位で表示されるが、すべて１０ｇ単位とし、またすべて１００ｇ単位とすることも可能である。
但し、以下の説明では簡略化するため、保存、算出、表示において１００ｇ単位である場合について説明することとする。
【００２２】
プッシュスイッチ１６Ｌ、１６Ｒは、装置本体１０の裏側、前方の左右２カ所に配設されており、測定者が生体情報測定装置１に乗ったこと（ステップオン）を検出するスイッチである。
生体情報測定装置１が省電力状態にある場合において、プッシュスイッチ１６によりステップオンが検出されると、省電力状態から復帰し測定が開始される。
なお、本実施形態の生体情報測定装置１では、２つのプッシュスイッチ１６Ｌ、１６Ｒが前方左右に配置される場合について説明するが、後方左右に配置するようにしてもよく、また前後左右の４カ所に配置するようにしてもよい。
【００２３】
重量センサ１５、測定用電極１２、及び、プッシュスイッチ１６は、いずれも測定時刻を検出する測定時刻検出手段の一部として機能することが可能である。本実施形態では、全てを測定時刻検出手段の一部として機能している。
すなわち、本実施形態では生体情報測定装置１に足を乗せたこと（測定の開始）を重量センサ１５、測定用電極１２、プッシュスイッチ１６で検出し、その検出時の時刻を測定時刻として検出する。
なお、測定時刻は同一規準であれば良く、測定開始時刻以外に、体重と生体インピーダンスの測定が完了した時刻や、生体情報測定装置１から降りた時刻などを採用することが可能である。
測定時刻については、後述する日時情報計測部３３から出力される時刻による。
【００２４】
図２は、生体情報測定装置１の機能ブロックを表したものである。
生体情報測定装置１は、測定結果に基づく生体情報の算出とその表示制御、測定結果履歴への保存、入力操作に対応する制御等の装置全体を各種制御する制御部２０を備えている。
この制御部２０には、表示部１１、操作部１３、プッシュスイッチ１６、Ａ／Ｄ変換部３１、３２、日時情報計測部３３、通信部３４、音声出力部３５、記憶装置として機能する不揮発メモリ４０が接続されている。
【００２５】
Ａ／Ｄ変換部３１は、各重量センサ１５から入力されるアナログの検出値を、それぞれデジタル値に変換して制御部２０に供給する。
Ａ／Ｄ変換部３２は、各測定用電極１２から入力されるアナログの検出値を、それぞれデジタル値に変換して制御部２０に供給する。
【００２６】
日時情報計測部３３は、日時情報として現在の日時を年月日時分秒の単位で計測する測定時刻検出手段の一部として機能し、計測した日時情報を制御部２０に供給する。日時情報については所定タイミング毎に供給するようにしてもよく、制御部２０からの要求に応じて供給するようにしてもよい。
【００２７】
通信部３４は、生体情報測定装置１による各種測定結果を外部に出力するための出力手段として機能している。
通信部３４による測定結果は、本実施形態では無線により出力されるようになっているが、有線により出力するようにしてもよい。
有線による場合の例としては、例えば、ＵＳＢメモリ等の各種記憶媒体への出力、各種ケーブルを介してのパソコンや携帯端末等の外部機器への出力が可能である。
通信部３４による無線通信による測定結果の出力方法として、ブルートゥース（Ｂｌｕｅｔｏｏｔｈ（登録商標）、赤外線通信、ＮＦＣ（登録商標）、ＺｉｇＢｅｅ（登録商標）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（登録商標））、Ｗｉ−Ｆｉ（Ｗｉｒｅｌｅｓｓ  Ｆｉｄｅｌｉｔｙ（登録商標））等の近距離無線通信、３Ｇ方式、４Ｇ方式等の各種無線通信が使用可能である。
本実施形態の通信部３４では、これら有線、無線による各種通信のうち、１または複数の方式によるデータの入出力が可能に構成される。
【００２８】
音声出力部３５は、入力操作時において各入力操作画面に対応した操作案内用のガイダンス音声を出力し、また、測定完了後のビープ音を出力する出力装置である。
音声出力部３５による音声や音については、デフォルトの設定として出力するオン設定になっているが、ユーザ操作によりオフ設定に変更することが可能である。なお、デフォルトの設定を逆にしてもよい。
【００２９】
不揮発メモリ４０は、各種データを保存する記憶媒体で構成され、ユーザ情報記憶部４１、測定結果履歴データ４２、許容値係数４３、その他のデータが記憶されている。
図３は、ユーザ情報記憶部４１、測定結果履歴データ４２、許容値係数４３の記憶データの内容を概念的に表したものである。
図３（ａ）に示すように、ユーザ情報記憶部４１には、各ユーザ（測定者）毎の基礎情報としてのユーザ情報、すなわち、ユーザ番号、性別、身長、年齢特定情報、登録体重、生体インピーダンス（ＢＩ）が保存される。
なお、図３において、生体インピーダンス（Ｂｉｏｅｌｅｃｔｒｉｃａｌ  Ｉｍｐｅｄａｎｃｅ）はＢＩで表記している。他の図面についても同様に表記する。
年齢特定情報は、測定時におけるユーザの年齢を算出可能な情報であればよく、登録時のユーザの年齢と登録日、生年月日等が該当する。
【００３０】
ユーザ情報に保存されている登録体重と生体インピーダンス（ＢＩ）は、今回の測定値（体重とＢＩ）との差分（今回測定値の増減量）を求めることで測定者を認識する測定者認識処理において使用される。
【００３１】
登録体重は、体重の許容範囲を求めるための情報としても使用され、この登録体重と許容値係数４３とから許容範囲が算出される。
例えば、あるユーザの登録体重をｗ、当該ユーザの許容値計係数の値をα（＜１）とした場合、登録体重ｗに許容値係数αを乗じた値（ｗα）が体重の許容値となり、体重の許容範囲はｗ−（ｗα）〜ｗ＋（ｗα）＝ｗ（１−α）〜ｗ（１＋α）となる。
一方、ＢＩの許容範囲を求めるための許容値については、一律に規定されている。
【００３２】
このユーザ情報としての登録体重とＢＩは、ユーザ情報登録時に測定した値が登録される。
【００３３】
但し、このユーザ情報としての登録体重とＢＩは各ユーザ毎に変化する値であるため、定期的に（例えば、１ヶ月毎、半年毎、１年毎）に更新することが好ましい。
また、各登録ユーザ毎に、測定履歴に保存した最新の測定履歴の値を使用して、ユーザ情報の登録体重とＢＩを自動的に更新するようにしてもよい。
更に、過去所定回数（複数回）、又は、所定期間（例えば、２週間、１ヶ月、３ヶ月）内における各登録ユーザ毎の測定履歴の平均値をユーザ情報の登録体重、ＢＩとして自動更新するようにしてもよい。
なお、ユーザ情報としての登録体重とＢＩについては、ユーザ情報記憶部４１に保存する必要はなく、測定結果履歴データ４２に各登録ユーザ毎に保存される測定履歴をユーザ情報として保存するようにしてもよい。
【００３４】
測定結果履歴データ４２は、登録された各ユーザのユーザ番号毎にユーザ１履歴４２１、ユーザ２履歴４２２、…が保存される。
測定結果履歴データ４２の各ユーザ履歴は、図３（ｂ）に示すように、体重（ｋｇ）、生体インピーダンス（Ω）、測定日時（年月日時分）が保存される。
【００３５】
本実施形態では、ユーザ登録可能な数が４である場合について説明しているが、５人家族を想定した５人等、測定者の認識が必要な複数であれば登録可能な人数は何人でも可能であり、無制限とすることも可能である。
また、測定結果履歴データ４２に保存する測定履歴の数は、各登録ユーザ毎に最低１件ずつ最新のデータを保存すれば足りるが、その数については任意であり、本実施形態では、統計等に使用するために最大５件の測定履歴が保存される。
また、測定日時は、各測定値から得られる生体情報に基づいて各登録ユーザの健康管理用のデータとして使用する場合、例えば、体重や体脂肪率等の経時変化をグラフ化して表示する等の場合に必要な情報として保存するが、検出及び保存をしないようにしてもよい。特に、測定履歴として最新の１件だけ保存する場合には測定日時を保存しないようにしてもよい。
【００３６】
許容値係数４３は、体重の許容値、許容範囲を決定するための係数（α＜１）で、次のいずれかの値が保存されている。
（ａ）一定値
（ｂ）年齢に応じて規定される値
（ｃ）性別に応じて規定される値
（ｄ）年齢と性別に応じて規定される値
【００３７】
なお、生体インピーダンス（ＢＩ）については、体重に比べてユーザの性状により大きく異なることはない。そのため、ＢＩの許容範囲を決定するための許容値については、従来と同様に一律（例えば、±１００Ω）に決められている。
このＢＩの許容値については、許容値係数４３と同様に不揮発メモリ４０に保存されるが、一律の値（一定値）であるため、測定者識別処理を実行するためのプログラムにおいて規定しておき、この値を取得するように構成することも可能である。また、体重の許容値係数４３についても、α＝一定値である場合には測定者識別処理用のプログラムにおいて規定しておき、この値を取得するように構成してもよい。
【００３８】
図４は、表示部１１の表示画面の詳細を表したものである。
図４は、測定終了後における、体重と体脂肪率を表した状態の表示画面である。
表示部１１は、測定結果を表示する出力手段として機能している。
図４に示すように表示部１１は、第１表示部１１１から第６表示部１１６までの、６カ所の表示領域で構成されている。
第１表示部１１１と第２表示部１１２は、測定結果や入力操作における入力値が表示される領域である。
測定結果が表示される場合、第１表示部１１１には体重が表示され、第２表示部１１２には算出された体組成の値が、所定時間（例えば、２秒）の経過ごとに順次切り替えられながら表示される。第２表示部１１２には、体脂肪率、ＢＭＩ、基礎代謝、骨格筋レベル、骨レベル、内臓脂肪レベル、水分量、身体年齢、体脂肪率の順に、順次表示される。第２表示部１１２において、これら体組成が順次切り替え表示されている間、第１表示部１１１には体重が継続的に表示される。
【００３９】
一方、入力操作において入力値が表示される場合、日時設定やユーザの生年月日設定の入力操作において、第１表示部１１１に年が、第２表示部１１２に月日が表示される。また、日時設定において、年月日の入力後において、第１表示部１１１に入力時刻（時、分）が表示される。
【００４０】
第１表示部１１１、第２表示部１１２は、測定値や入力値が表示されると共に、各表示内容に対応して、表示中項目の単位（ｋｇ、ｃｍ、％、Ｋｃａｌ）や、表示項目に対する補助文字（年、月、日、時、分、才、）が表示される。
図４では、測定後における測定結果として、体重（６１．３ｋｇ）と体脂肪率（１５．５％）が表示されている。
【００４１】
第３表示部１１３は、第２表示部１１２に表示されている各体組成が、標準値に対してどの程度離れているかをグラフ表示したものである。標準の３段階と、低い側の３段階、及び、高い側の３段階の合計９段階のレベル表示がされる。
【００４２】
第４表示部１１４は、第１表示部１１１と第２表示部１１２に表示中の項目の項目名が表示される。図４では、第１表示部１１１の表示に対する項目名「体重」が表示され、第２表示部１１２の表示に対する項目名「体脂肪率」が表示されている。
図４では表示されていないが、測定中において第４表示部１１４には「測定中」と表示される。
【００４３】
第５表示部１１５は、ユーザ番号と、性別が表示される。
第５表示部１１５に表示されるユーザ番号については、測定開始前にユーザが指定されている場合には指定されたユーザ番号が表示され、自動認識モードの場合には測定結果から自動認識したユーザ番号が表示される。
第５表示部１１５に表示される性別には、指定又は自動認識されたユーザ番号に対応して、ユーザ情報記憶部４１に保存されている性別が、図４に示されるように「男」又は、「女」として表示される。
【００４４】
第６表示部１１６は、生体情報測定装置１についての各種状態が表示される表示領域で、電池の残量表示、電波の受信状態等が表示される。
【００４５】
図２に戻り、制御部２０は、プログラムに従って各種演算処理を行うＣＰＵ、プログラムが保存されるＲＯＭ、作業領域としてのＲＡＭ等を備えている。
制御部２０は、各種記憶媒体に保存された測定処理プログラムに従って、生体情報の算出、表示、保存等の各処理を行うと共に、本実施形態における測定者識別処理を行う。これらの各処理をプログラムに従って行う機能ブロックとして、制御部２０は、体重算出部２１、生体インピーダンス算出部２２、乗降判定部２３、体組成演算部２４、測定者識別部２５、測定結果記憶制御部２６を備えている。
【００４６】
体重算出部２１は各重量センサ１５で検出され、Ａ／Ｄ変換部３１でデジタル信号に変換された各重量値から測定者の体重を算出する。具体的には、各重量値を合計することで測定者の体重が算出される。
体重算出部２１は、算出した測定者の体重を体組成演算部２４に供給する。
【００４７】
生体インピーダンス算出部２２は、各測定用電極１２で検出され、Ａ／Ｄ変換部３２でデジタル信号に変換された測定用電極１２Ｌと測定用電極１２Ｒ間の抵抗値（左足−体−右足間の抵抗値）から、測定者の生体インピーダンスを算出する。生体インピーダンスの算出については、公知の計算方法が採用され、他の体組成についても公知の計算式や統計データにもとづいて算出される。
生体インピーダンス算出部２２は、算出した測定者の生体インピーダンスを体組成演算部２４に供給する。
【００４８】
乗降判定部２３は、プッシュスイッチ１６から供給される信号（スイッチのオン信号）に基づいて、測定者のステップオンを判定する。上述したように、省電力状態においてステップオンが検出されると、省電力状態が解除され測定が開始される。
【００４９】
体組成演算部２４は、体重算出部２１から供給される体重、生体インピーダンス算出部２２から供給される生体インピーダンス、及び、指定されたユーザ番号又は測定者識別部２５で識別されたユーザ番号に対応してユーザ情報記憶部４１に記録されたユーザ情報（性別、身長、生年月日から算出した年齢）を使用して、測定者の各体組成を算出する。
測定された体重、及び、算出された各体組成については表示部１１に表示される。
【００５０】
測定者識別部２５は、今回の測定により得られた測定結果（体重、ＢＩ）と、ユーザ情報記憶部４１に保存されているユーザ情報としての登録体重、ＢＩとを比較することで、測定者の識別、即ち、登録ユーザ（ユーザ番号）の特定、又は、ゲストであるとの特定を行う。
具体的には、体重、ＢＩについて、ユーザ情報に対する今回測定値の増減量（差分）が共に、許容範囲内である登録ユーザを認識候補とする。
認識候補が１の場合には当該認識候補を測定者として認識する。
一方、認識候補が複数である場合には、ＢＩの差分が最も小さい認識候補を測定者として認識する。短期間における変化が少ないＢＩの差分を使用することで、測定者をより正確に認識することができる。
【００５１】
ここで、体重についての許容範囲は、各ユーザの登録体重ｗに許容値係数αを乗じた許容値ｗαから求め、ＢＩの許容範囲は一律に規定されているＢＩの許容値（例えば、±１００Ω）から求める。
このように、体重の許容範囲を規定する許容値ｗαをユーザの登録体重に応じた異なる値とすることで、例えば、体重が軽い人が他の登録者と認識されたり、体重が重い人が許容値を外れゲストと判定されたりする誤認識を少なくすることができ、測定者をより正確に認識することができる。
【００５２】
一方、体重の差分とＢＩの増減量（差分）のいずれか一方又は双方が許容範囲外である場合には、認識候補がいないと判断し、測定者はゲストであると認識する。
【００５３】
測定結果記憶制御部２６は、今回の測定結果（体重、生体インピーダンス）、及び測定時刻を、測定者識別部２５で識別した測定者のユーザ番号、又は、測定前に指定された測定者のユーザ番号に対応するユーザ履歴４２１〜４２４に保存する。
なお、ユーザ情報としての登録体重とＢＩについて説明したように、測定履歴によってユーザ情報を更新する変形例を採用する場合には、測定結果記憶制御部２６がユーザ情報更新手段として機能し、各登録ユーザ毎に、測定履歴に保存した最新の測定履歴によりユーザ情報の登録体重とＢＩを自動的に更新する。
【００５４】
次に、以上のように構成された生体情報測定装置１による測定処理の動作について説明する。
図５は、測定処理動作の全体を表したフローチャートである。
測定者の操作に対応して、制御部２０は測定モードの切り替えを行う（ステップ１０）。測定モードとしては、測定者を自動認識する自動認識モード、ユーザを指定して測定を行うユーザ指定モード、登録済みユーザ以外の測定者が測定するゲストモード、体重だけを測定する体重のみ測定モードなどの各種の測定モードが存在する。
測定モードは、測定者が操作部１３を操作することで選択され、制御部２０は選択された測定モードに切り替える。
なお、測定者によるモード選択が行われずに生体情報測定装置１に乗った場合、制御部２０はデフォルトのモードとして自動認識モードを選択する。
【００５５】
制御部２０は、切り替えた測定モードがゲストモードか否かを判断する（ステップ１１）。
ゲストモードであれば（ステップ１１；Ｙ）、制御部２０は、測定者によって操作部１３から入力されるゲスト情報（年齢、身長、性別）を取得してＲＡＭに記憶する（ステップ１２）。
この測定者によるゲスト情報の入力操作において、制御部２０は、表示部１１の必要な入力項目のガイダンス表示を行うと共に、入力されたゲスト情報を表示する。
【００５６】
ゲスト情報の入力後、又は、ゲストモードでない場合（ステップ１１；Ｎ）、制御部２０は、体重測定を行う（ステップ１３）。すなわち制御部２０は、４つの重量センサ１５からＡ／Ｄ変換部３１を介して供給される重量値を合計することで測定者の体重を算出する。
【００５７】
そして制御部２０は、体重測定が完了したか否かを判断する（ステップ１４）。
測定が完了していない場合（ステップ１４；Ｎ）、制御部２０は、測定エラーか否かを判断する（ステップ１５）。測定エラーである場合（ステップ１５；Ｙ）、制御部２０は、表示部１１の所定領域にエラー表示を行い（ステップ１６）、処理を終了する。
ここで、測定エラーと判断される場合として、例えば、測定者が片足だけのせた後に降りてしまった場合などがあり、この場合制御部２０は、４つの重量センサ１５からの重量値が供給される前に重量値がゼロになったこと等から測定エラーと判断する。
一方、測定エラーでなければ（ステップ１５；Ｎ）、制御部２０はステップ１３に戻り測定を継続する。
【００５８】
次に制御部２０は、ステップ１０で切り替えたモードが体重のみ測定モードか否かを判断し（ステップ１７）、体重のみ測定モードであれば（ステップ１７；Ｙ）、制御部２０は、測定した体重を表示部１１に表示し（ステップ１８）、処理を終了する。
【００５９】
なお、体重のみ測定モードである場合（ステップ；Ｙ）、測定結果を表示した後ステップ２２に移行することで、指定された又は自動認識した測定者（ユーザ）に対する測定履歴として測定した体重を保存するようにしても良い。
体重のみ測定モードで測定者の自動認識をする場合には、生体インピーダンスは判断対象から外して認識することになる。このため、自動認識の精度が下がる可能性があるので、必ず自動認識したユーザが正しいか否かを、表示部１１への確認表示と測定者の確認操作がされたことを条件に、測定履歴として保存するようにしてもよい。
【００６０】
一方、体重のみ測定モードでなければ（ステップ１７；Ｎ）、制御部２０は、生体インピーダンス（ＢＩ）を測定する（ステップ１９）。
すなわち、制御部２０は、測定用電極１２からＡ／Ｄ変換部３２を介して供給される各抵抗値から測定者の生体インピーダンスを算出する。
【００６１】
そして制御部２０は、生体インピーダンスの測定が完了したか否かを判断する（ステップ２０）。
測定が完了していない場合（ステップ２０；Ｎ）、制御部２０は、測定エラーか否かを判断する（ステップ２１）。測定エラーである場合（ステップ２１；Ｙ）、制御部２０は、ステップ１６に移行して表示部１１の所定領域にエラー表示を行い処理を終了する。測定エラーと判断される場合としては体重測定の場合と同様である。
一方、測定エラーでなければ（ステップ２１；Ｎ）、制御部２０はステップ１９に戻り測定を継続する。
【００６２】
次に制御部２０は、ステップ１０で切り替えたモードが自動認識モードであるか否かを判断する（ステップ２２）。
自動認識モードではない場合（ステップ２２；Ｎ）、すなわち、ユーザ指定モードとゲストモードである場合、制御部２０は自動認識の必要がないためステップ２６に移行する。
一方、自動認識モードである場合（ステップ２２；Ｙ）、制御部２０は、測定した体重、生体インピーダンスとその許容範囲を使用して測定者を自動で識別する測定者識別処理を行う（ステップ２３）。測定者識別処理の詳細については後述する。
【００６３】
測定者の識別が完了した後、制御部２０は測定者確定処理を行う（ステップ２４）。
すなわち、制御部２０は、自動認識した測定者に対応するユーザ番号を表示部１１の第５表示部１１５（図４参照）に表示する。測定者確認は、表示されたユーザ番号を確認し、合っている場合には設定キー１３ｄを押下し、間違っている場合には上キー１３ａか下キー１３ｂで表示されているユーザ番号を変更した後に設定キー１３ｄを押下することで測定者を確定させる。
制御部２０は、測定者が設定キー１３ｄを押した際に第５表示部１１５に表示しているユーザ番号から、測定者を確定させる。
なお、制御部２０は、自動識別した測定者（ユーザ番号）を第５表示部１１５に表示した後、所定時間内に操作部１３の操作がされない場合、及び、測定者が生体情報測定装置１から降りた場合には、表示中のユーザ番号の測定者に確定する。
【００６４】
制御部２０は、測定者が確定したか判断する（ステップ２５）。
測定者が確定しない場合（ステップ２５；Ｎ）、すなわち、クリアキー１３ｃが押下された場合、制御部２０は処理を終了する。
一方、測定者が確定した場合（ステップ２５；Ｙ）、及び、ユーザ指定モードである場合（ステップ２２；Ｎ）、制御部２０は、今回の測定結果を保存する（ステップ２６）。すなわち、制御部２０は、確定した測定者のユーザ番号に対応する測定結果履歴データ４２に、体重、生体インピーダンス、測定日時を保存する。
【００６５】
また制御部２０は、測定結果の保存と並行して、測定結果を表示部１１に表示し（ステップ２７）、処理を終了する。
測定結果の表示において、制御部２０は、図４に例示したように、測定した体重の値を第１表示部１１１に、体重と生体インピーダンス、ユーザ情報から算出した体脂肪率の値を第２表示部１１２に、体脂肪率のレベル表示を第３表示部１１３に表示する。
また、第４表示部１１４には、第１表示部１１１と第２表示部１１２に表示中の項目の項目名を表示し、第５表示部１１５には、確定した測定者のユーザ番号と性別が表示される。
なお、第２表示部１１２は、最初に体脂肪率の値が表示され、その後所定時間（本実施形態では２秒）毎に、体脂肪率、ＢＭＩ、基礎代謝、骨格筋レベル、骨レベル、内臓脂肪レベル、水分量、身体年齢、体脂肪率の順に、順次表示される。第２表示部１１２の切り替えに合わせて第３表示部１１３のレベル表示、と第４表示部１１４の項目名も切り替えて表示される。
第２表示部１１２に表示する、体脂肪率等の各体組成については、体重、生体インピーダンス、基礎情報から算出され、第三表示部１１３のレベル表示については当該表示項目の統計等から求めた標準値を規準に算出される。
【００６６】
図６は、測定者識別処理の詳細について表したフローチャートである。
この図６のフローチャートで使用した各文字の意味は次の通りである。
Ｘ：ユーザ登録済のユーザ数
Ｗ：今回の測定結果（体重）
ＷＨ：ユーザＸの登録体重（ユーザ情報）
ＷＲ：体重識別許容重量（体重許容値）
Ｉ：今回の測定結果（ＢＩ）
ＩＨ：ユーザＸの登録（ＢＩ）（ユーザ情報）
ＩＲ：ＢＩ識別許容値（ＢＩ許容値）
【００６７】
制御部２０は、ステップ３０〜３０−２のループを登録ユーザ数（Ｘ）だけ繰り返す。このループでは、各ユーザ情報（登録体重、ＢＩ）に対する今回の測定結果の増減量が、許容値の範囲であるか否か（体重、ＢＩの両測定結果が、それぞれの許容範囲内であるか否か）に基づいて、認識候補の特定が行われる。
【００６８】
制御部２０は、体重許容値ＷＲとＢＩ許容値ＩＲを取得する（ステップ３１）。
すなわち、制御部２０は、不揮発メモリ４０から許容値係数４３（α）と、ＢＩ許容値を読み込み、ＲＡＭの作業領域に保存する。そして、制御部２０は、ユーザ情報記憶部４１からユーザＸの登録体重ｗを読み込み、これに許容値係数αを乗じたｗαを、体重許容値ＷＲとして取得する。
【００６９】
制御部２０は、今回の測定結果（体重）Ｗが、ＷＨ±ＷＲ（ｋｇ）の範囲内か否かを判断する（ステップ３２）。
すなわち、制御部２０は、ユーザＸの登録体重ＷＨと、登録（ＢＩ）ＩＨをユーザ情報記憶部４１から読み出し、登録体重ＷＨに体重許容値ＷＲを加算した値と減算した値（ＷＨ±ＷＲ（ｋｇ））を求め、今回の測定結果（体重）Ｗが、求めた両値の範囲内（体重許容範囲内）であるか否かを判断する。
【００７０】
今回の測定結果（体重）Ｗが、体重許容範囲内である場合（ステップ３２；Ｙ）、制御部２０は、今回の測定結果（ＢＩ）Ｉが、ＩＨ±ＩＲ（Ω）の範囲内か否かを判断する（ステップ３３）。
すなわち、制御部２０は、当該ループ対象における登録ユーザＸの登録（ＢＩ）ＩＨに、ＢＩ識別許容値ＩＲを加算した値と減算した値（ＩＨ±ＩＲ（Ω））を求め、今回の測定結果（ＢＩ）Ｉが、求めた両値の範囲内（ＢＩ許容範囲内）であるか否かを判断する。
【００７１】
なお、本実施形態では、今回の測定結果（体重）Ｗが、ＷＨ±ＷＲの範囲内か否かについて判断する場合（ステップ３２）について説明したが、この判断は、ＷＨに対するＷの増減量（差分）が±ＷＲの範囲内か否かについての判断である。実施形態では、＋ＷＲの絶対値と−ＷＲの絶対値が等しいため、Ｗ−ＷＨの絶対値がＷＲ以下であるか否かを確認する判断となっている。
そこで、登録ユーザＸの登録体重ＷＨが、今回の測定結果（体重）Ｗに体重許容値ＷＲを加減算した両値（Ｗ±ＷＲ）の範囲内にあるか否かを判断することで、ＷＨに対するＷの増減量が±ＷＲの範囲内か否かについて判断するようにしてもよい。
また、直接、ユーザＸの登録体重ＷＨに対する今回の測定結果（体重）Ｗの差分（増減量）を算出し、この差分が体重識別許容重量±ＷＲの範囲内であるか否かを判断するようにしてもよい。
更に、今回の測定結果（体重）ＷとユーザＸの登録体重ＷＨとの差分を算出し、この差分の絶対値が体重許容値ＷＲ以下であるか否かにより判断するようにしてもよい。
以上の判断については、今回の測定結果（ＢＩ）Ｉが、ＩＨ±ＩＲの範囲内か否かについての判断（ステップ３３）についても同様に変形することが可能である。
【００７２】
今回の測定結果（ＢＩ）Ｉが、ＢＩ許容範囲内である場合（ステップ３３；Ｙ）、制御部２０は、当該判断中の登録ユーザＸを認識候補とし（ステップ３４）、次の登録ユーザについての判断を行う。
一方、今回の測定結果（体重）Ｗが体重許容範囲外である場合（ステップ３２；Ｎ）、及び、今回の測定結果（ＢＩ）ＩがＢＩ許容範囲外である場合（ステップ３３；Ｎ）にも、制御部２０は、当該登録ユーザＸは認識候補対象外とし、次の登録ユーザについての判断を行う。
【００７３】
全登録ユーザに対して、認識候補を抽出するステップ３０〜３０−２のループが終了すると、制御部２０は、登録ユーザのなかに認識候補がいるか否かを判断する（ステップ３５）。
認識候補がいない場合（ステップ３５；Ｎ）、制御部２０は、測定者をゲストであると認識し（ステップ３６）、メインルーチンにリターンする。
【００７４】
一方、認識候補がいると判断された場合（ステップ３５；Ｙ）、制御部２０は、測定者の特定を行う（ステップ３７）。
すなわち、認識候補数が１であれば、制御部２０は、当該認識候補を測定者に特定する。
認識候補数が複数である場合、制御部２０は、各認識候補の登録（ＢＩ）ＩＨが今回の測定結果（ＢＩ）Ｉに最も近い認識候補、すなわち、ＩＨ−Ｉの絶対値が最も小さい認識候補を測定者に特定する。
なお、ＩＨ−Ｉ（絶対値）が最小値である認識候補が複数ある場合には、更に、登録体重ＷＨが最も今回の測定結果（体重）Ｗに近い認識候補、すなわち、ＷＨ−Ｗの絶対値が最も小さい認識候補を測定者に特定する。
【００７５】
このように、認識候補が複数いる場合に、体重ではなくて生体インピーダンス（ＢＩ）を優先して測定者を認識するのは次の理由による。
すなわち、体重は、食事の前後の測定タイミングや暴飲暴食の有無などの条件によって短期的な変化幅が大きいのに対し、生体インピーダンスは、このような条件によっては変化しにくい値であるためである。
【００７６】
次に、測定者識別処理における具体的判断例について、本実施形態において選択可能な各許容値係数α毎に説明する。
いま、登録ユーザ１〜４の各ユーザが登録されており、各登録ユーザの登録体重が次の通りである場合を例に、登録体重ｗと各許容値係数αによる体重の許容値、及び許容範囲について説明する。
登録ユーザ１の登録体重ｗ＝８５．６ｋｇ
登録ユーザ２の登録体重ｗ＝４８．８ｋｇ
登録ユーザ３の登録体重ｗ＝３９．１ｋｇ
登録ユーザ４の登録体重ｗ＝１６．３ｋｇ
【００７７】
（ａ）第１例
この第１例は、許容値係数αを一定値としたものである。
図７は、一定値の許容係数α＝３％の場合の各登録ユーザにおける体重の許容値と許容範囲を表したものである。
なお、上述したように本実施形態の生体情報測定装置は１０ｇ単位で体重を求め、表示部１１への表示を四捨五入された１００ｇ単位で行うため、図７以降では、同様にして１００ｇ単位で表示している。
図７（ｂ）において、登録ユーザ２の場合、登録体重がｗ＝４８．８ｋｇであるから、許容値係数α＝３％を乗じることで、体重許容値＝±１．５ｋｇとなる。
【００７８】
このように、第１例では、登録体重ｗに許容値係数αを乗じた値ｗαから体重の許容値を求めているため、登録ユーザ１〜４の各許容値は、それぞれ、±２．６ｋｇ、±１．５ｋｇ、±１．２ｋｇ、±０．５ｋｇというように、各登録ユーザの登録体重が大きいほど大きな許容値となっている。
人間の身体の構成において、身体の重さの５０〜６０％は水である。そして、短期間の体重変動の要因は、食事や汗、尿、便などであり、体重が重い人ほど身体の水分量が多く、その水分が変動することで、体重が重い人ほど体重が変化しやすい傾向がある。
このため、体重が重いほど許容値を大きくする本実施形態は、体重が重いユーザほど体重の変化幅が大きいという状況に即した適切な許容値となり、測定者をより精度高く認識することが可能になる。
【００７９】
なお、算出した許容値に基づいて、各登録ユーザ１〜４の体重の許容範囲は、それぞれ８３．０〜８８．２ｋｇ、４７．３〜５０．３ｋｇ、３７．９〜４０．３ｋｇ、１５．８〜１６．８ｋｇとなる。従って、例えば測定体重が５０．１ｋｇであれば、ＢＩについても登録ユーザ２の許容範囲であることを条件に、登録ユーザ２が測定者として認識される。
【００８０】
（ｂ）第２例
第１例では許容値係数αを一定値としたのに対し、この第２例では、許容値係数αの値を登録ユーザの年齢に応じて規定したもので、年齢が小さいほど大きな許容値係数αに規定されている。
第２例は、体重による変化幅の違いに加え、同一体重であっても年齢によって食事の量や身体の成長度合いが異なり、若年層ほど成長が激しく、体重が変化しやすい傾向があるという状況に対応したものである。
【００８１】
図８は、年齢別に規定した許容値係数αと、各登録ユーザにおける体重の許容値と許容範囲を表したものである。
図８（ａ）に示されるように、許容値係数αは、０〜９歳が６％、１０〜１９歳が５％、２０〜３９歳が４％、４０〜５９歳が３％、６０歳〜が２．５％というように、年齢が小さいほど許容値係数αが大きくなるように規定されている。
図８（ｂ）に示すように、年齢に応じて規定されている許容値係数αを登録体重ｗに乗じた値ｗαから求めた各登録ユーザ１〜４の許容値は、それぞれ、±２．６ｋｇ、±２．０ｋｇ、±２．０ｋｇ、±１．０ｋｇとなる。
そして、許容値係数αが一律の３％に規定された第１例の場合（図７（ｂ））と比較すると、年齢が４６歳で３％の登録ユーザ１は同じ許容値であるのに対し、登録ユーザ１よりも年齢が小さい登録ユーザ２〜４は例１の許容値にくらべ、許容値が大きくなっている。
このように、年齢が小さい場合には許容値係数αが大きく規定されることで、体重が小さくても体重の許容値が小さくなりすぎることを回避することができる。
これにより、子供など、成長が著しい年齢の許容値を広げ、許容値から外れることによりゲスト判定になることを防ぐことができる。
【００８２】
（ｃ）第３例
第３例では、性別に応じて許容値係数αを規定したものである。すなわち、男性の許容値係数の値を女性の値よりも大きく規定している。
第３例は、体重による変化幅の違いに加え、一般的に男性の方が食事の量が多く、一日の体重変動量が多い傾向がある、という状況に対応したものである。
【００８３】
図９は、性別に応じて規定した許容値係数αと、各登録ユーザにおける体重の許容値と許容範囲を表したものである。
図９（ａ）に示されるように、許容値係数αは、男性が４％、女性が３％に規定されている。
図９（ｂ）に示すように、性別に応じて規定されている許容値係数αを登録体重ｗに乗じた値ｗαから求めた各登録ユーザ１〜４の許容値は、それぞれ、±３．４ｋｇ、±１．５ｋｇ、±１．６ｋｇ、±０．５ｋｇとなる。
そして、許容値係数αが一律の３％に規定された第１例の場合（図７（ｂ））と比較すると、性別が女性（許容値係数が３％）の登録ユーザ２と４は同じ許容値であるのに対し、男性の登録ユーザ１と３は第１例の許容値にくらべ、許容値が大きくなっている。
このように、女性よりも男性の許容値係数αが大きく規定されることで、比較的体重の増減が多い男性の許容値を広げ、許容値から外れることによりゲスト判定になることを防ぐことができる。
【００８４】
（ｄ）第４例
第４例では、年齢と性別に応じて許容値係数αを規定したものである。すなわち、第４例では、年齢が小さいほど大きな許容値係数αで、かつ同年齢の場合に男性の許容値係数の値を女性の値以上に規定している。
図１０は、年齢と性別に応じて規定した許容値係数αと、各登録ユーザにおける体重の許容値と許容範囲を表したものである。
この図に示すように、年齢と性別を考慮した許容値係数αとして、若いほど大きく、女性より男性の方が大きい値が規定されている。
なお、図１０に示した例では、０〜９歳の場合には年齢による許容値係数αの増加が十分になされている一方で、この年齢層の場合に男女による体重変動はあまり変わらないことから、男女同じ許容値係数α＝６％としている。
第４例によれば、体重による変化幅の違いに加え、同一体重であっても年齢によって食事の量や身体の成長度合いが異なり、若年層ほど成長が激しく、体重が変化しやすいという傾向、及び、男性の方が女性よりも体重変動量が多いという傾向に対応して、より適切な許容値係数αが規定されることで、より正確に測定者の認識を行うことが可能になる。
【００８５】
（ｅ）第５例
第１例から第４例では、それぞれに規定された許容値係数αを各登録ユーザの登録体重ｗに乗じた値ｗαから体重の許容値を求めている。
これに対し第５例では、体重の許容値に下限を設けたものである。すなわち、体重の許容値の下限（閾値）として±１ｋｇを規定し、第１例〜第４例に適用したものである。
図１１は、許容値係数α＝３％（一律）とした第１例に第５例を適用した場合の、各登録ユーザにおける体重の許容値と許容範囲を表したものである。
図１１に示されるように、第１例の場合（図７（ｂ））と比較すると、登録ユーザ４の登録体重ｗに許容値係数αを乗じた値ｗα（計算結果）が０．５ｋｇで、この値から許容値係数αを求めると±０．５ｋｇとなり、下限値±１ｋｇ未満となる。
そこで、登録ユーザ４については、体重の許容値を下限値の±１ｋｇに補正している。
このように、体重に関係なく食事などの影響で、ある一定重量は体重が増減する可能性があるため、体重の許容値の計算結果がある一定の閾値を下回った場合は、一律の許容値（閾値の値）とすることで、適切な許容値と許容範囲を設定することができる。
【００８６】
以上説明したように本実施形態によれば、ユーザ登録された登録体重に特定の係数を乗じた値を許容値とし、ユーザ毎の体重の違いを考慮した許容値を使って測定者を識別する。
このように許容値が体重によって変化することで、体重が軽い人が他の登録者と認識されることなく、かつ、体重が重い人が許容値を外れゲストと判定されることがなくなり、測定者を正確に認識することができる。
【００８７】
以上、本発明における各実施形態について説明したが、本発明は説明した実施形態や説明した変形例に限定されるものではなく、各請求項に記載した範囲において各種の変形を行うことが可能である。
例えば、説明した実施形態では、登録体重ｗに許容値係数αを乗じた値ｗαに対して体重の許容値を±ｗαとし、プラス側とマイナス側で均等の値を規定する場合について説明した。
これに対して、プラス側の許容値係数α１とマイナス側の許容値係数α２というように、＋側と−側とで異なる値を採用するようにしてもよい。
この場合、体重は増加しやすく、減少しにくいことを考慮して、α１＞α２とすることが好ましい。
【符号の説明】
【００８８】
１  生体情報測定装置
１０  装置本体
１１  表示部
１２  測定用電極
１３  操作部
１３ａ  上キー
１３ｂ  下キー
１３ｃ  クリアキー
１３ｄ  設定キー
１４  電源スイッチ
１５  重量センサ
１６  プッシュスイッチ
３１、３２  Ａ／Ｄ変換部
３３  日時情報計測部
３４  通信部
３５  音声出力部
４０  不揮発メモリ
【図１】
0006568680.tif 000002
【図２】
0006568680.tif 000003
【図３】
0006568680.tif 000004
【図４】
0006568680.tif 000005
【図５】
0006568680.tif 000006
【図６】
0006568680.tif 000007
【図７】
0006568680.tif 000008
【図８】
0006568680.tif 000009
【図９】
0006568680.tif 000010
【図１０】
0006568680.tif 000011
【図１１】
0006568680.tif 000012